(57)【要約】【課題】上り制御情報をピギーバックしてＰＵＳＣＨで送信する場合に、どの上りリンク用セルのＰＵＳＣＨを用いるかを決定する。【解決手段】複数のセルを用いてキャリアアグリゲーションが行われる移動通信システムにおけるユーザ装置を、上り制御情報の送信タイミングにおいて、物理上りリンク共有チャネルが設定されている場合に、当該物理上りリンク共有チャネルを用いて前記上り制御情報を送信すると決定する制御部と、送信を行う送信部と、を備えて構成し、前記制御部を、前記複数のセルのうちの第１のセルにおいて物理上りリンク共有チャネルが設定されている場合に、当該物理上りリンク共有チャネルを用いて前記上り制御情報を送信すると決定し、前記第１のセルにおいて物理上りリンク共有チャネルが設定されていない場合に、第２のセルにおける物理上りリンク共有チャネルを用いて前記上り制御情報を送信すると決定するように構成する。【選択図】図８
2014110476.tif 000002
【特許請求の範囲】
【請求項１】
複数のセルを用いてキャリアアグリゲーションが行われる移動通信システムにおけるユーザ装置であって、
前記ユーザ装置における上り制御情報の送信タイミングにおいて、当該ユーザ装置に物理上りリンク共有チャネルが設定されているか否かを判定し、物理上りリンク共有チャネルが設定されている場合に、当該物理上りリンク共有チャネルを用いて前記上り制御情報を送信すると決定する制御部と、
前記制御部により決定された物理上りリンク共有チャネルを用いて前記上り制御情報を前記移動通信システムにおける無線基地局に送信する送信部と、を備え、
前記制御部は、前記複数のセルのうちの第１のセルにおいて物理上りリンク共有チャネルが設定されている場合に、当該物理上りリンク共有チャネルを用いて前記上り制御情報を送信すると決定し、前記第１のセルにおいて物理上りリンク共有チャネルが設定されていない場合に、第２のセルにおける物理上りリンク共有チャネルを用いて前記上り制御情報を送信すると決定する
ことを特徴とするユーザ装置。
【請求項２】
前記第１のセルは、キャリアアグリゲーションにおけるプライマリセルであり、前記第２のセルは、物理上りリンク制御チャネルが設定されたセカンダリセルである
ことを特徴とする請求項１に記載のユーザ装置。
【請求項３】
前記第１のセルは、物理上りリンク制御チャネルが設定されたキャリアアグリゲーションにおけるセカンダリセルであり、前記第２のセルは、セカンダリセル又はプライマリセルである
ことを特徴とする請求項１に記載のユーザ装置。
【請求項４】
物理上りリンク共有チャネルが複数のセカンダリセルで設定されている場合において、前記制御部は、複数のセカンダリセルの物理上りリンク共有チャネルのうち、インデックスが最大もしくは最小のセカンダリセルの物理上りリンク共有チャネルを用いて前記上り制御情報を送信すると決定する
ことを特徴とする請求項２又は３に記載のユーザ装置。
【請求項５】
物理上りリンク共有チャネルを用いて前記上り制御情報を送信するセルがキャリアアグリゲーションにおけるセカンダリセルの場合、当該セカンダリセルは、アクティブであり、上り同期が取れている
ことを特徴とする請求項１ないし４のうちいずれか1項に記載のユーザ装置。
【請求項６】
前記ユーザ装置は、前記無線基地局から、上り制御情報を送信するために用いる物理上りリンク共有チャネルを決定するための制御内容を示す情報を受信し、記憶手段に保持し、前記制御部は、前記無線基地局から受信した前記情報に従って、上り制御情報を送信するために用いる物理上りリンク共有チャネルを決定する
ことを特徴とする請求項１ないし５のうちのいずれか１項に記載のユーザ装置。
【請求項７】
前記制御部は、前記上り制御情報の種別を判定し、判定された種別に対応した方法で、当該上り制御情報を送信するために用いる物理上りリンク共有チャネルを決定する
ことを特徴とする請求項１ないし６のうちいずれか１項に記載のユーザ装置。
【請求項８】
前記制御部は、前記上り制御情報が生じたセルを判定し、判定されたセルに対応した方法で、当該上り制御情報を送信するために用いる物理上りリンク共有チャネルを決定する
ことを特徴とする請求項１ないし７のうちいずれか１項に記載のユーザ装置。
【請求項９】
前記移動通信システムにおいてアグリゲートされる前記複数のセルが、複数のグループにグループ分けされている場合において、前記制御部は、個々のグループ毎に定められた方法で、グループ内で生じる上り制御情報を送信するために用いる物理上りリンク共有チャネルを決定する
ことを特徴とする請求項１ないし８のうちのいずれか１項に記載のユーザ装置。
【請求項１０】
複数のセルを用いてキャリアアグリゲーションが行われる移動通信システムにおけるユーザ装置により行われる上り制御情報送信方法であって、
前記ユーザ装置における上り制御情報の送信タイミングにおいて、当該ユーザ装置に物理上りリンク共有チャネルが設定されているか否かを判定し、物理上りリンク共有チャネルが設定されている場合に、当該物理上りリンク共有チャネルを用いて前記上り制御情報を送信すると決定する制御ステップと、
前記制御ステップにより決定された物理上りリンク共有チャネルを用いて前記上り制御情報を前記移動通信システムにおける無線基地局に送信する送信ステップと、を備え、
前記制御ステップにおいて、前記複数のセルのうちの第１のセルにおいて物理上りリンク共有チャネルが設定されている場合に、当該物理上りリンク共有チャネルを用いて前記上り制御情報を送信すると決定し、前記第１のセルにおいて物理上りリンク共有チャネルが設定されていない場合に、第２のセルにおける物理上りリンク共有チャネルを用いて前記上り制御情報を送信すると決定する
ことを特徴とする上り制御情報送信方法。
【発明の詳細な説明】
【技術分野】
【０００１】
本発明は、ＣＡ（Ｃａｒｒｉｅｒ  Ａｇｇｒｅｇａｔｉｏｎ）が行われる移動通信システムに関するものであり、特に、ＣＡ（Ｃａｒｒｉｅｒ  Ａｇｇｒｅｇａｔｉｏｎ）が行われる移動通信システムにおけるユーザ装置が上り制御情報を送信するチャネルを選択する技術に関連するものである。
【背景技術】
【０００２】
ＬＴＥ（Ｌｏｎｇ  Ｔｅｒｍ  Ｅｖｏｌｕｔｉｏｎ）方式及びＬＴＥ−Ａｄｖａｎｃｅｄ方式において、上りリンク制御情報（ＵＣＩ（Ｕｐｌｉｎｋ  Ｃｏｎｔｒｏｌ  Ｉｎｆｏｒｍａｔｉｏｎ））を送信する制御チャネルとしてＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）が規定されている。ＰＵＣＣＨを用いて送信される上りリンク制御情報としては、例えば、チャネル品質情報であるＣＱＩ（Ｃｈａｎｎｅｌ  Ｑｕａｌｉｔｙ  Ｉｎｄｉｃａｔｏｒ）、下りリンクにおいて送信されたデータ信号に対する送達確認情報であるＡＣＫ/ＮＡＣＫ、上りリンクにおいて送信されるべきデータ信号が発生した際に送信されるスケジューリング要求（ＳＲ：Ｓｃｈｅｄｕｌｉｎｇ  Ｒｅｑｕｅｓｔ）等がある。
【０００３】
また、ＬＴＥ-Ａｄｖａｎｃｅｄ方式では、ユーザ装置ＵＥ及び無線基地局ｅＮＢは、複数のセルを用いてＣＡ（Ｃａｒｒｉｅｒ  Ａｇｇｒｅｇａｔｉｏｎ）を行うことができるように構成されている。
【０００４】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。ユーザ装置ＵＥのＰＣｅｌｌを変更する場合には、ハンドオーバ処理が必要である。
【０００５】
また、ＳＣｅｌｌは、ＰＣｅｌｌに追加されてユーザ装置ＵＥに対して設定されるセルである。Ｓｃｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。
【０００６】
また、ＬＴＥ−Ａｄｖａｎｃｅｄ方式では、ＰＵＣＣＨと、データを送信するＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）とを同時に送信するＰＵＳＣＨ−ＰＵＣＣＨ同時送信が可能である。ここでのＰＵＳＣＨ−ＰＵＣＣＨ同時送信の意味は、同一セル内でのＰＵＳＣＨ−ＰＵＣＣＨ同時送信と、ＣＡが構成された複数セル間でのＰＵＳＣＨ−ＰＵＣＣＨ同時送信の両方を含むものとする。
【０００７】
ここで、ＣＡにおける各セルに対応するキャリアはＣＣ（Ｃｏｍｐｏｎｅｎｔ  Ｃａｒｒｉｅｒ、コンポーネントキャリア）と呼ばれる。ＣＡにおける各セルにおいて、上りリンクに対応するセルを上リンク用セル、下りリンクに対応するセルを下りリンク用セルと呼ぶことができる。また、信号を特定のセルで送信／受信するといった場合、当該セルに対応するコンポーネントキャリアを用いて信号を送信／受信することを意味する。
【０００８】
ＬＴＥ方式では、上り制御情報は、通常ＰＵＣＣＨを介してユーザ装置ＵＥから無線基地局ｅＮＢに送信されるが、所定の場合に、通常はデータを送信するＰＵＳＣＨを用いて上り制御情報を送信する。これはピギーバック（ｐｉｇｇｙ  ｂａｃｋ）と呼ばれる。
【０００９】
図１を参照して、ピギーバックが行われる場合と、行われない場合についての例を説明する。
【００１０】
図１（ａ）は通常の場合を示しており、ＣＡが構成されていない場合で、上り制御情報の送信タイミングにおいて、ＰＵＳＣＨが割り当てられていない場合に、ＰＵＣＣＨで上り制御情報を送信することを示している。
【００１１】
図１（ｂ）は、ＣＡが構成されていない場合であって、上り制御情報の送信タイミングで、ＰＵＳＣＨが割り当てられている場合に（つまり、スケジューリンググラントを受信し、無線リソースが割り当てられ、データを送信できるときに）、当該上り制御情報をＰＵＳＣＨで送信することを示している。ＰＵＳＣＨが割り当てられる場合でも、ＰＵＳＣＨ−ＰＵＣＣＨ同時送信がユーザ装置ＵＥに設定（configure)されている場合は、ＰＵＣＣＨで上り制御情報を送信するが、ＰＵＳＣＨ−ＰＵＣＣＨ同時送信が設定されていない（ユーザ装置ＵＥがＰＵＳＣＨ−ＰＵＣＣＨ同時送信の能力を持たない場合を含む）は、割り当てられているＰＵＳＣＨで上り制御情報を送信する。
【００１２】
図１（ｃ）は、ＣＡが構成されている場合であって、上り制御情報の送信タイミングにおいて、ＰＣｅｌｌでＰＵＣＣＨが設定されており、ＳＣｅｌｌでＰＵＳＣＨが設定されており、なおかつ、ＰＵＳＣＨ−ＰＵＣＣＨ同時送信が可能である場合を示す。この場合、ＰＣｅｌｌのＰＵＣＣＨで上り制御情報が送信される。
【００１３】
図１（ｄ）は、ＣＡが構成されている場合であって、上り制御情報の送信タイミングにおいて、ＳＣｅｌｌでＰＵＳＣＨが設定されており、なおかつ、ＰＵＳＣＨ−ＰＵＣＣＨ同時送信が可能でない場合を示す。この場合、ＳＣｅｌｌのＰＵＳＣＨで上り制御情報が送信される。
【先行技術文献】
【非特許文献】
【００１４】
【非特許文献１】３ＧＰＰ  ＴＳ３６．３００  ｖ１１．３．０  ｓｅｃｔｉｏｎ７．５
【発明の概要】
【発明が解決しようとする課題】
【００１５】
Ｒｅｌｅａｓｅ-１１以前のＬＴＥ方式におけるＣＡでは、ＰＵＣＣＨは、ＰＣｅｌｌにおいてのみサポートされており、全ての下りリンク用セルに関するフィードバック情報等の上り制御情報が、ＰＣｅｌｌのＰＵＣＣＨを介して送信されていた。
【００１６】
しかしながら、特定のセル（ＰＣｅｌｌ）でのみＰＵＣＣＨを送信させる場合、当該セルをＰＣｅｌｌとして使用するユーザ装置ＵＥが多いと、ＰＵＣＣＨリソースが不足してしまうという問題点があった。よって、ＰＵＣＣＨの負荷分散の観点から、ＳＣｅｌｌにおいてもＰＵＣＣＨをサポートすることが検討されている。
【００１７】
また、Ｒｅｌｅａｓｅ-１２以降のＬＴＥ方式において、異なる無線基地局ｅＮＢ配下のＣＣ（セル）を用いた「Ｉｎｔｅｒ-ｓｉｔｅ  ＣＡ」の採用が検討されている。かかる「Ｉｎｔｅｒ-ｓｉｔｅ  ＣＡ」では、ＰＵＣＣＨを介して送信されるフィードバック情報（ＣＱＩやＡＣＫ/ＮＡＣＫ等）は、各下りリンク送信を行った無線基地局ｅＮＢに対して送信されるべきである。このような観点からも、ＳＣｅｌｌにおいてもＰＵＣＣＨをサポートすることが検討されている。
【００１８】
前述したように、ＰＣｅｌｌのＰＵＣＣＨについては、ＰＵＣＣＨ−ＰＵＳＣＨ同時送信ができない場合、ＰＵＣＣＨで送信するはずだった上り制御情報をＰＵＳＣＨで送信すること（ＵＣＩ  ｐｉｇｇｙ  ｂａｃｋ）が規定されているが、ＳＣｅｌｌ  ＰＵＣＣＨサポート時にどのセルのＰＵＳＣＨに上り制御情報をｐｉｇｇｙ  ｂａｃｋすればよいかを決定するための機構が存在しないため、ユーザ装置ＵＥは、どの上りリンク用セルのＰＵＳＣＨで、上り制御情報を送信すべきか分からないという問題点がある。また、無線基地局ｅＮＢは、どの上りリンク用セルのＰＵＳＣＨで、上り制御情報を受信することを期待すれば良いのか分からないという問題点がある。
【００１９】
そこで、本発明は、上述の課題に鑑みてなされたものであり、ＰＵＣＣＨをサポートしている複数のセルを用いて行われるＣＡにおいて、上り制御情報をピギーバックしてＰＵＳＣＨで送信する場合に、どの上りリンク用セルのＰＵＳＣＨを介して送信すべきであるかについて決定することができるユーザ装置を提供することを目的とする。
【課題を解決するための手段】
【００２０】
上記の課題を解決するために、本発明の一実施形態によれば、複数のセルを用いてキャリアアグリゲーションが行われる移動通信システムにおけるユーザ装置であって、
前記ユーザ装置における上り制御情報の送信タイミングにおいて、当該ユーザ装置に物理上りリンク共有チャネルが設定されているか否かを判定し、物理上りリンク共有チャネルが設定されている場合に、当該物理上りリンク共有チャネルを用いて前記上り制御情報を送信すると決定する制御部と、
前記制御部により決定された物理上りリンク共有チャネルを用いて前記上り制御情報を前記移動通信システムにおける無線基地局に送信する送信部と、を備え、
前記制御部は、前記複数のセルのうちの第１のセルにおいて物理上りリンク共有チャネルが設定されている場合に、当該物理上りリンク共有チャネルを用いて前記上り制御情報を送信すると決定し、前記第１のセルにおいて物理上りリンク共有チャネルが設定されていない場合に、第２のセルにおける物理上りリンク共有チャネルを用いて前記上り制御情報を送信すると決定することを特徴とするユーザ装置が提供される。
【００２１】
例えば、前記第１のセルは、キャリアアグリゲーションにおけるプライマリセルであり、前記第２のセルは、物理上りリンク制御チャネルが設定されたセカンダリセルである。他の例では、前記第１のセルは、物理上りリンク制御チャネルが設定されたキャリアアグリゲーションにおけるセカンダリセルであり、前記第２のセルは、セカンダリセル又はプライマリセルである。
【発明の効果】
【００２２】
本発明の実施形態によれば、ＰＵＣＣＨをサポートしている複数のセルを用いて行われるＣＡにおいて、上り制御情報をピギーバックしてＰＵＳＣＨで送信する場合に、どの上りリンク用セルのＰＵＳＣＨを介して送信すべきであるかについて決定することができるユーザ装置を提供することが可能となる。
【図面の簡単な説明】
【００２３】
【図１】ＵＣＩピギーバック（ｐｉｇｇｙ  ｂａｃｋ）を説明するための図である。
【図２】本発明の実施の形態に係る移動通信システムの構成例を示す図である。
【図３】本発明の実施の形態に係るユーザ装置ＵＥの機能構成図である。
【図４】本発明の実施の形態に係る無線基地局ｅＮＢの機能構成図である。
【図５】ユーザ装置ＵＥの動作例を説明するためのフローチャートである。
【図６】図５におけるステップ５の処理を説明するためのフローチャートである。
【図７】ＰＵＳＣＨ送信制御例における送信イメージ（１）を示す図である。
【図８】ＰＵＳＣＨ送信制御例における送信イメージ（２）を示す図である。
【図９】ＰＵＳＣＨ送信制御例における送信イメージ（３）を示す図である。
【図１０】ＰＵＳＣＨ送信制御例２における無線基地局ｅＮＢの機能構成図である。
【図１１】変形例におけるＵＣＩの送信イメージを示す図である。
【図１２】変形例におけるＴＡＧを説明するための図である。
【図１３】変形例における無線基地局ｅＮＢの機能構成図である。
【発明を実施するための形態】
【００２４】
以下、図面を参照して本発明の実施の形態を説明する。なお、以下で説明する実施の形態は一例に過ぎず、本発明が適用される実施の形態は、以下の実施の形態に限られるわけではない。
【００２５】
＜システム構成＞
図２に、本発明の実施の形態に係る移動通信システムの構成例を示す。図２に示す本実施の形態に係る移動通信システムは、ＬＴＥ-Ａｄｖａｎｄｅｄ方式の移動通信システムであり、ＰＣｅｌｌ及びＳＣｅｌｌ＃０〜＃２を管理する無線基地局ｅＮＢと、ユーザ装置ＵＥとを具備している。なお、図２に示す例では、ＳＣｅｌｌが３つ設定されている場合を示しているが、これは一例に過ぎない。また、ＰＣｅｌｌ及びＳＣｅｌｌ＃０〜＃２のそれぞれは、上りリンク用セルと下りリンク用セルを有するものとする。
【００２６】
また、ＰＣｅｌｌ及びＳＣｅｌｌ＃０〜＃２は、複数の無線基地局ｅＮＢによって管理されるように構成されていてもよいし、単一の無線基地局ｅＮＢによって管理されていてもよい。
【００２７】
本実施の形態に係る移動通信システムにおいて、ユーザ装置ＵＥは、ＰＵＣＣＨをサポートしているＰｃｅｌｌ/Ｓｃｅｌｌを用いてＣＡを行うことができるように構成されている。すなわち、本実施の形態に係る移動通信システムでは、ＰＣｅｌｌ及びＳＣｅｌｌの両方で、ＰＵＣＣＨがサポートされている。また、ＰＵＳＣＨについても、ＰＣｅｌｌ及びＳＣｅｌｌの両方でサポートされている。なお、ＳＣｅｌｌでＰＵＣＣＨが"サポートされている"とは、ＳＣｅｌｌでＰＵＣＣＨを送信する能力のあるユーザ装置ＵＥにおいて、ＳＣｅｌｌでＰＵＣＣＨが設定されれば、ＳＣｅｌｌでＰＵＣＣＨを送信できるという意味である。また、本実施の形態において、ユーザ装置ＵＥにＳＣｅｌｌでＰＵＣＣＨを設定する方法は、ＬＴＥ方式でＰＣｅｌｌにおいてＰＵＣＣＨを設定する方法と基本的に同様であることを想定している。ただし、ＳＣｅｌｌとＰＣｅｌｌとでＰＵＣＣＨの設定方法が異なっていてもよい。
【００２８】
＜装置構成＞
図３に、本実施の形態に係るユーザ装置ＵＥの機能構成例を示す。図３に示すように、ユーザ装置ＵＥは、ＤＬ信号受信部１１、ＵＬ信号送信部１２、無線設定管理部１３、ＵＬ制御部１４を備える。なお、図３は、ユーザ装置ＵＥにおいて本発明に特に関連する機能部のみを示すものであり、少なくともＬＴＥ-Ａｄｖａｎｄｅｄ方式に準拠した動作を行うための図示しない機能も有するものとする。
【００２９】
ＤＬ信号受信部１１は、無線基地局ｅＮＢから各種の下り信号を受信し、受信した物理レイヤの信号からより上位のレイヤの情報を取得する機能を備え、ＵＬ信号送信部２２は、ユーザ装置ＵＥから送信されるべき上位のレイヤの情報から、物理レイヤの各種信号を生成し、無線基地局ｅＮＢに対して送信するように構成されている。
【００３０】
無線設定管理部１３は、例えば、無線基地局ｅＮＢからＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して受信する下り制御情報に基づいて、上り／下りの無線リソースの割り当て等の実施、及び管理を行う機能部である。また、無線設定管理部１３は、各種の無線設定情報を格納する記憶手段でもある。
【００３１】
本実施の形態では、各タイミング（例：サブフレーム単位）において、ＣＡを構成する各上りリンク用セルにおいて、ＰＵＣＣＨのリソースが割り当てられているかどうか（ＰＵＣＣＨがあるかどうか）、ＰＵＳＣＨのリソースが割り当てられているかどうか（ＰＵＳＣＨがあるかどうか、言い換えると、ＰＵＳＣＨが設定されているかどうか)の情報や、ＰＵＳＣＨ−ＰＵＣＣＨ同時送信が可能かどうかの情報が、無線設定管理部１３に保持されており、無線設定管理部１３を参照することで、各セル毎、各タイミング毎に、ＰＵＣＣＨの使用可否、ＰＵＳＣＨの使用可否、ＰＵＳＣＨ−ＰＵＣＣＨ同時送信可否が分かるものとする。
【００３２】
ＵＬ制御部１４は、上り制御情報送信の制御を行うとともに、本実施の形態に係るピギーバックによるＰＵＳＣＨを介した上り制御情報送信の制御を行う機能部である。つまり、ＵＬ制御部１４は、上り制御情報をＰＵＳＣＨで送る場合に、どのセルのＰＵＳＣＨで送信するかを決定する。ＵＬ制御部１４による制御の内容の詳細については後述する。
【００３３】
図４に、本実施の形態に係る無線基地局ｅＮＢの機能構成図を示す。図４に示すように、無線基地局ｅＮＢは、ＵＬ信号受信部２１、ＤＬ信号送信部２２、無線設定管理部２３を備える。なお、図４は、無線基地局ｅＮＢにおいて本発明に特に関連する機能部のみを示すものであり、少なくともＬＴＥ-Ａｄｖａｎｄｅｄ方式に準拠した動作を行うための図示しない機能も有するものである。
【００３４】
ＵＬ信号受信部２１は、ユーザ装置ＵＥから各種の上り信号を受信し、受信した物理レイヤの信号からより上位のレイヤの情報を取得する機能を備え、ＤＬ信号送信部２２は、無線基地局ｅＮＢから送信されるべき上位のレイヤの情報から、物理レイヤの各種信号を生成し、ユーザ装置ＵＥに対して送信するように構成されている。
【００３５】
無線設定管理部２３は、ユーザ装置ＵＥ毎に、ＰＤＣＣＨを介して下り制御情報に基づき割り当てた無線リソース等の管理等を行う機能部である。また、無線設定管理部２３は、各種の無線設定情報を格納する記憶手段でもある。本実施の形態では、各タイミング（例：サブフレーム単位）で、各ＵＥにおいて、ＣＡを構成する各上りリンク用セルにおいて、ＰＵＣＣＨにどのリソースが割り当てられているか、ＰＵＳＣＨにどのリソースが割り当てられているかの情報や、ＰＵＳＣＨ−ＰＵＣＣＨ同時送信が可能かどうかの情報が、無線設定管理部２３に保持されており、無線設定管理部２３を参照することで、各ＵＥの各セル毎に、ＰＵＣＣＨのリソース、ＰＵＳＣＨのリソース、ＰＵＳＣＨ−ＰＵＣＣＨ同時送信可否が分かるものとする。
【００３６】
また、無線設定管理部２３には、各ＵＥにおけるピギーバック時の制御内容（ＰＵＳＣＨの決定方法）を示す情報が格納されている。つまり、無線設定管理部２３は、ＵＥ毎に、ピギーバックでどのＣＣのＰＵＳＣＨにおけるどのリソースを使用して上り制御情報を送信するかの情報を保持しており、無線基地局ｅＮＢは、ＵＥからピギーバックに係る上り制御情報を受信したときに、どのＵＥのどのＣＣの上り制御情報かを把握し、上り制御情報を取得できるものとする。また、上り制御情報が、下り信号のフィードバック情報である場合、例えば、上り制御情報を受信するリソースに基づいて、どの下り信号のフィードバック情報であるかも把握できるものとする。
【００３７】
＜動作例＞
次に、図５のフローチャートを参照して、ユーザ装置ＵＥの動作例について説明する。まず、ステップ１において、ＵＬ制御部１４が、上り制御情報（ＵＣＩ）送信がトリガされたことを検知する。すなわち、上り制御情報の送信タイミングになったことを検知する。なお、ここでは、上り制御情報がどのセルで発生したものかは問わない。つまり、本例では、どのセルであっても、同じロジックで制御が行われるものとする。なお、上り制御情報が発生したセルにより、制御方法を変える例については後述する。
【００３８】
ステップ１の後、ＵＬ制御部１４は、無線設定管理部１３を参照することにより、いずれかの上りリンク用セルにおいてＰＵＳＣＨ送信がトリガされているかどうかを判定する（ステップ２）。すなわち、ＵＬ制御部１４は、上り制御情報の送信タイミングにおいて、いずれかのセルにおいて、ＰＵＳＣＨのリソースが割り当てられ、データをＰＵＳＣＨを介して送信できる状態かどうかを無線設定管理部１３を参照することにより判定する。
【００３９】
ステップ２での判定の結果、いずれの上りリンク用セルにおいてもＰＵＳＣＨ送信がトリガされていないと判定された場合（ステップ２のＮｏ）、ＵＬ制御部１４は、ＰＵＣＣＨで上り制御情報を送るようにＵＬ信号送信部１２に指示し、ＵＬ信号送信部１２は、ＰＵＣＣＨで上り制御情報を送信する（ステップ３）。ここで使用するＰＵＣＣＨは、例えば、上り制御情報が下り信号に対するフィードバック情報（ＡＣＫ／ＮＡＣＫ、ＣＱＩ等）である場合、下り信号を受けた下りリンク用セルと同一セルの上りリンク用セルにおけるＰＵＣＣＨとしてよい。ただし、該当セルにＰＵＣＣＨが設定されていない場合、例えば、予め定めたセル（例：ＰＣｅｌｌ）のＰＵＣＣＨを使用する。また、下り信号を受信する下りリンク用セルと、当該下り信号に対するフィードバック情報を送信する上りリンク用セルとを予め対応付け、対応付け情報を無線設定管理部１３に保持し、当該対応付け情報に従って、どのセルのＰＵＣＣＨで上り制御情報を送信するかを決定してもよい。
【００４０】
また、上り制御情報が下り信号に対するフィードバック情報でない場合（例：ＳＲ）には、例えば、予め定めたセル（例：ＰＣｅｌｌ）のＰＵＣＣＨを使用することとしてよい。
【００４１】
図５のステップ２における判定で、ＵＬ制御部１４により、いずれかのセルにおいてＰＵＳＣＨ送信がトリガされていると判定された場合、ＵＬ制御部１４は、無線設定管理部１３を参照し、ＰＵＣＣＨ−ＰＵＳＣＨの同時送信が可能かどうかを判定する（ステップ４）。ＰＵＣＣＨ−ＰＵＳＣＨの同時送信が可能であると判定された場合（ステップ４のＹｅｓ）、ＵＬ制御部１４は、前述した場合と同様に、ＰＵＣＣＨで上り制御情報を送信するようＵＬ信号送信部１２に指示し、ＵＬ信号送信部１２は、ＰＵＣＣＨで上り制御情報を送信する（ステップ３）。
【００４２】
ここで、ＰＵＳＣＨと同時に送信可能なＰＵＣＣＨが複数ある場合、例えば、このような場合のために予め定めたセル（例：ＰＣｅｌｌ）のＰＵＣＣＨを使用する。また、下り信号を受信する下りリンク用セルと、当該下り信号に対するフィードバック情報を送信する上りリンク用セルとを予め対応付け、対応付け情報を保持し、当該対応付け情報に従って、どのセルのＰＵＣＣＨで上り制御情報を送信するかを決定してもよい。
【００４３】
ステップ４において、ＵＬ制御部１４により、ＰＵＣＣＨとＰＵＳＣＨの同時送信ができないと判定された場合（ステップ４のＮｏ）、ＵＬ制御部１４は、以下のようにして、ＵＬ信号送信部１２からＰＵＳＣＨにより上り制御情報の送信を行わせるように制御を実施する（ステップ５）。
【００４４】
（ＵＬ制御部１４によるＰＵＳＣＨ送信制御例１）
ステップ５におけるＰＵＳＣＨ送信制御例１を図６のフローチャートを参照して説明する。
【００４５】
ＵＬ制御部１４は、無線設定管理部１３を参照することで、ＰＣｅｌｌでＰＵＳＣＨがあるかどうか（ＰＵＳＣＨのリソースが割り当てられているかどうか）を判定し（ステップ５１）、ＰＣｅｌｌでＰＵＳＣＨが設定されている場合には（ステップ５１のＹｅｓ）、ＰＣｅｌｌのＰＵＳＣＨで上り制御情報を送信すると決定する（ステップ５２）。言い換えると、図５のステップ２において判定された、データ送信がトリガされているＰＵＳＣＨの中に、ＰＣｅｌｌのＰＵＳＣＨがあるかどうかを判定し、ある場合に、ＰＣｅｌｌのＰＵＳＣＨで上り制御情報を送信すると決定する。
【００４６】
この場合の送信イメージを図７に示す、図７に示すように、複数のセルでＰＵＳＣＨが設定されており、その中に、ＰＣｅｌｌがあるので、ＰＣｅｌｌのＰＵＳＣＨで上り制御情報（ＵＣＩ）を送信する。
【００４７】
図６のステップ５１における判定で、ＰＣｅｌｌにＰＵＳＣＨがないと判定された場合（ステップ５１のＮｏ）、ＰＵＣＣＨが設定されているＳＣｅｌｌのＰＵＳＣＨで上り制御情報を送信するように制御を行う。ここでの「ＰＵＣＣＨが設定されている」の意味は、ＰＵＳＣＨとの同時送信が可能という意味ではなく、ＰＵＣＣＨのリソースが割り当てられており、ＰＵＳＣＨとは別のタイミングで送信可能であるという意味である。
【００４８】
より具体的には、ステップ５３において、ＵＬ制御部１４は、ＰＵＳＣＨがあるＳＣｅｌｌの中で、ＰＵＣＣＨが設定されているＳＣｅｌｌがあるかどうかを無線設定管理部１３を参照することにより判定する。
【００４９】
ここでもし、ＰＵＣＣＨが設定されているＳＣｅｌｌが１つだけであれば、当該ＳｃｅｌｌのＰＵＳＣＨで上り制御情報を送信すると決定する（ステップ５４）。この場合の送信イメージを図８に示す、図８に示すように、複数のＳＣｅｌｌでＰＵＳＣＨ送信がトリガされており、そのうち、ＰＵＣＣＨが設定されているＳＣｅｌｌ＃０のＰＵＳＣＨを用いて上り制御情報が送信される。
【００５０】
ステップ５３において、ＰＵＣＣＨが設定されているＳＣｅｌｌが複数であると判定された場合、もしくは、ＰＵＣＣＨが設定されているＳＣｅｌｌが存在しないと判定された場合、ステップ５５に進む。
【００５１】
ステップ５５では、ＰＵＣＣＨが設定されている複数のＳＣｅｌｌ間、もしくは、ＰＵＣＣＨが設定されていない１つ又は複数のＳＣｅｌｌ間において、ＳＣｅｌｌのＩｎｅｘが最小、もしくは、最大のＳｃｅｌｌのＰＵＳＣＨを用いて上り制御情報を送信すると決定する。この場合の送信イメージを図９に示す。図９に示すように、Ｐｃｅｌｌ以外の複数のＳｃｅｌｌでＰＵＳＣＨが設定されており、ＰＵＣＣＨは設定されておらず、その中で、図９の例では、Ｉｎｄｅｘが最も小さいＳＣｅｌｌ＃０のＰＵＳＣＨで上り制御情報を送信する。
【００５２】
上述したＳｃｅｌｌのＩｎｄｅｘは、無線基地局ｅＮＢからのシグナリングによりＳＣｅｌｌが設定されるときに通知されるものであり、無線設定管理部１３に保持されている情報である。つまり、無線設定管理部１３には、コンポーネントキャリアを識別する情報とＩｎｄｅｘが対応付けて格納されている。
【００５３】
なお、上記の例では、ステップ５３でＰＵＣＣＨの有無を確認した制御を行うこととしているが、ＰＵＣＣＨの有無に関わらずに、ＳＣｅｌｌのＩｎｄｅｘ値の大きさ（最大、最小）に基づいて上り制御情報をＰＵＳＣＨで送るＳＣｅｌｌを決定してもよい。
【００５４】
また、上記の例では、ＰＣｅｌｌでのＰＵＳＣＨで上り制御情報を送信することを最優先としているが、これは一例にすぎず、例えば、ＰＵＣＣＨが設定されているＳＣｅｌｌのＰＵＳＣＨで上り制御情報を送信することを最優先とし、ＰＵＳＣＨ送信可能でＰＵＣＣＨが設定されているＳＣｅｌｌがない場合に、ＰＣｅｌｌでのＰＵＳＣＨ、Ｉｎｄｅｘ最小／最大のＳＣｅｌｌのＰＵＳＣＨの順で、使用するＰＵＳＣＨを決定してもよい。
【００５５】
（ＵＬ制御部１４によるＰＵＳＣＨ送信制御例２）
ＰＵＳＣＨ送信制御例１は、制御のロジック（どのセルのＰＵＳＣＨでＵＣＩを送信すべきかを決定するロジック）を予め固定的に無線基地局ｅＮＢとユーザ装置ＵＥにおいて設定しておくことを想定している。しかし、本発明は、制御のロジックを予め固定的に設定しておくことに限られず、無線基地局ｅＮＢがユーザ装置ＵＥに対して、シグナリングにより、制御の内容を示す情報を通知し、ユーザ装置ＵＥは通知された情報に従って、ピギーバックにおけるＰＵＳＣＨ送信制御を行うこととしてもよい。ＰＵＳＣＨ送信制御例２はそのような場合の例である。
【００５６】
この場合、無線基地局ｅＮＢがユーザ装置ＵＥに対して通知する制御の内容を示す情報は、ユーザ装置ＵＥ毎に異なってもよく、無線基地局ｅＮＢは、各ユーザ装置ＵＥについて、通知した制御の内容に応じて、各ユーザ装置ＵＥからの上り制御情報の受信処理を行う。
【００５７】
また、無線基地局ｅＮＢがユーザ装置ＵＥに対して通知する制御の内容を示す情報は、上述したＰＵＳＣＨ送信制御例１で説明した各例と同じであってもよいし、ＰＵＳＣＨ送信制御例１と異なる制御方法でもよい。
【００５８】
異なる制御としては、例えば、上り制御情報が発生したセルにおけるＰＵＳＣＨを最優先で使用し、上り制御情報が発生したセルにおけるＰＵＳＣＨがない場合に、ＰＵＳＣＨ制御例１と同様の制御を行う方法がある。つまり、例えば、ＳＣｅｌｌ＃０の下り信号に対するフィードバック情報を送信すべきタイミングにおいて、ＳＣｅｌｌ＃０にＰＵＳＣＨがあれば当該ＰＵＳＣＨで送信し、ＳＣｅｌｌ＃０にＰＵＳＣＨがなければ、図６の手順に従って、ＰＵＳＣＨを決定する。なお、この例では、ＰＣｅｌｌで上り制御情報が発生した場合には、図６のとおりの制御となる。
【００５９】
上記の異なる制御内容は、シグナリングで通知される制御内容であってもよいし、ＰＵＳＣＨ送信制御例１において固定的に設定される制御内容（ＰＵＳＣＨ送信制御例１の別の例となる）であってもよい。
【００６０】
無線基地局ｅＮＢがユーザ装置ＵＥに対してする通知は、例えば、ユーザ装置ＵＥが無線基地局ｅＮＢに接続するときに無線基地局ｅＮＢからユーザ装置ＵＥに送られるＲＲＣメッセージを用いて行うこととしてよい。この場合、通知による設定は、接続毎にｓｅｍｉ−ｓｔａｔｉｃに行われることになる。
【００６１】
上記の他、無線基地局ｅＮＢがユーザ装置ＵＥに対して送信するＰＤＣＣＨに、制御の内容を含めて送信してもよい。例えば、無線基地局ｅＮＢがユーザ装置ＵＥに対して、物理下りリンク共有チャネル（ＰＤＳＣＨ）のリソースを割り当てるためにＰＤＣＣＨで下り制御情報を送信する場合に、当該ＰＤＣＣＨで割り当てるＰＤＳＣＨで送信される下りデータのフィードバック情報をピギーバックで送る際のセルを指定する情報を当該下り制御情報に含めて送信してよい。ピギーバックで送る際のセルを指定する情報としては、例えば、優先順位の高いほうから、ＰＣｅｌｌ、ＰＵＣＣＨの設定されたＳＣｅｌｌ、Ｉｎｄｅｘの最大／最小のＳｃｅｌｌ、といったように、セルの情報を羅列した情報を送ることが考えられる。なお、この羅列の例では、下りデータのフィードバック情報をピギーバックで送る際に、上述したＰＵＳＣＨ送信制御例１と同様の制御がなされることになる。また、下りデータのフィードバック情報以外の上り制御情報についても、上記のようにして指定された内容に従って送信制御を行ってもよいし、下りデータのフィードバック情報以外の上り制御情報については、別の下り制御情報（例：システム情報）を用いて指定してもよい。
【００６２】
本例での無線基地局ｅＮＢの機能構成例を図１０に示す。図４に示した構成との相違は、ＵＥ制御情報通知部２４がある点である。ＵＥ制御情報通知部２４がユーザ装置ＵＥに対して上述した制御の内容を示す情報をＤＬ信号送信部２２に渡し、ＤＬ信号送信部２２が制御の内容を示す情報をユーザ装置ＵＥに送信する。送信した制御の内容を示す情報に対応する無線設定管理部２３側の情報はユーザ装置ＵＥ毎に無線設定管理部２３に格納されており、無線基地局ｅＮＢはこの情報を参照することで、各ユーザ装置ＵＥから送信された上り制御情報を取得できる。
【００６３】
ユーザ装置ＵＥについては、図３に示した構成のとおりである。本例では、無線基地局ｅＮＢから通知された情報は無線設定管理部１３に格納され、ＵＬ制御部１４が当該情報を参照することで、当該情報に従って制御を行う。
【００６４】
（ＵＬ制御部１４によるＰＵＳＣＨ送信制御例３）
ＰＵＳＣＨ送信制御例１、ＰＵＳＣＨ送信制御例２においては、図５のステップ１において送信タイミングとなった上り制御情報の種別にかかわらず、同様の制御がなされると想定している。しかし、本発明はこれに限られず、ＰＵＳＣＨ送信制御例１、ＰＵＳＣＨ送信制御例２のそれぞれにおいて、送信タイミングとなった上り制御情報の種別に応じて、制御内容を異なるものとしてもよい。
【００６５】
例えば、上り制御情報が、ＡＣＫ／ＮＡＣＫ、ＣＱＩなどの下り信号に対するフィードバック情報である場合には、ＰＵＳＣＨ送信制御例１の各例と同様の制御を行い、上り制御情報が、ＳＲ等の下り信号に対するフィードバック情報でない場合には、当該上り制御情報が発生したセルにおけるＰＵＳＣＨを最優先に使用することとし、当該ＰＵＳＣＨがない場合に、ＰＵＳＣＨ送信制御例１と同様の制御を行う。あるいは、逆に、上り制御情報が、ＡＣＫ／ＮＡＣＫ、ＣＱＩなどの下り信号に対するフィードバック情報である場合には、当該上り制御情報が発生したセルにおけるＰＵＳＣＨを最優先に使用することとし、当該ＰＵＳＣＨがない場合に、ＰＵＳＣＨ送信制御例１と同様の制御を行い、上り制御情報が、下り信号に対するフィードバック情報でない場合には、ＰＵＳＣＨ送信制御例１と同様の制御を行うこととしてもよい。
【００６６】
なお、上り制御情報の種別はＵＬ制御部１４により判定可能である。また、上記の制御は一例に過ぎない。例えば、ＡＣＫ／ＮＡＣＫ、ＣＱＩ、ＳＲのそれぞれで特有の制御内容（どのセルのＰＵＳＣＨで送信するかの制御）を持つこととしてもよい。
【００６７】
どの種別の上り制御情報に対して、どのような制御を行うかは、ＰＵＳＣＨ送信制御例１のように固定的に設定しておいてもよいし、ＰＵＳＣＨ送信制御例２にように、無線基地局ｅＮＢからのシグナリングで設定してもよい。いずれの場合も、上り制御情報の種別識別情報と、当該種別に対応した制御方法を示す情報（例：優先度の高い順に、ＰＣｅｌｌ、ＰＵＣＣＨの設定されたＳＣｅｌｌ、Ｉｎｄｅｘが最大／最小のＳＣｅｌｌ、等）が無線設定管理部１３に記憶され、ＵＬ制御部１４は、当該情報を参照することで、各種別に対応した制御方法で、ＰＵＳＣＨを決定する処理を行うことができる。
【００６８】
（ＵＬ制御部１４によるＰＵＳＣＨ送信制御例４）
ＰＵＳＣＨ送信制御例１、ＰＵＳＣＨ送信制御例２、ＰＵＳＣＨ送信制御例３においては、図５のステップ１において送信タイミングとなった上り制御情報が、どのセルでの上り制御情報かにかかわらず同様の制御がなされると想定している。しかし、本発明はこれに限られず、送信タイミングとなった上り制御情報が発生したセル（ＣＣ）に応じて、制御内容を異ならせることとしてもよい。つまり、ＰＵＳＣＨ送信制御例１、ＰＵＳＣＨ送信制御例２、ＰＵＳＣＨ送信制御例３のそれぞれにおいて、セル毎に、当該セルで上り制御情報が発生した場合におけるピギーバック時において、どのセルのＰＵＳＣＨで上り制御情報を送信するかを決定してよい。
【００６９】
どのセルで上り制御信号が発生した場合に、どのような制御を行うかは、ＰＵＳＣＨ送信制御例１のように固定的に設定しておいてもよいし、ＰＵＳＣＨ送信制御例２にように、無線基地局ｅＮＢからのシグナリングで設定してもよい。いずれの場合も、セルの識別情報と、当該セルに対応した制御方法を示す情報（例：優先度の高い順に、ＰＣｅｌｌ、ＰＵＣＣＨの設定されたＳＣｅｌｌ、Ｉｎｄｅｘが最大／最小のＳＣｅｌｌ、等）が無線設定管理部１３に記憶され、ＵＬ制御部１４は、当該情報を参照することで、各セルに対応した制御方法で、ＰＵＳＣＨを決定する処理を行うことができる。
【００７０】
セル毎に制御を異ならせる例としては、例えば、上り制御情報が発生したセルにおけるＰＵＳＣＨを最優先で使用し、上り制御情報が発生したセルにおけるＰＵＳＣＨがない場合に、ＰＵＳＣＨ制御例１と同様の制御を行う方法がある。また、セル毎に、どのセルのＰＵＳＣＨで上り制御情報を送信するかを優先順位とともに予め決めておき、決めた情報を対応情報としてユーザ装置ＵＥの無線設定管理部１３と無線基地局ｅＮＢの無線設定管理部２３に保持しておき、保持した情報に従って制御を行うこととしてもよい。この保持の仕方は、固定的に設定してもよいし、ＰＵＳＣＨ送信制御例２のようにシグナリングで通知してもよい。
【００７１】
＜変形例＞
ＬＴＥ−Ａｄｖａｎｃｅｄ方式では、下りリンク用セルに対して上り制御情報を送信すべき上りリンク用セルが予め設定されている（グルーピングされている）場合がある。例えば、Ｉｎｔｅｒ−ｓｉｔｅ  ＣＡが構成されている場合である。つまり、移動通信システムにおいてＣＡによりアグリゲートされる複数のセルが、複数のグループにグループ分けされている場合がある。
【００７２】
このようにグルーピングされている場合、各グループ内で、前述した実施の形態で説明した制御を行う。この場合の送信イメージを図１１に示す。図１１は、複数のセルが、ＰＣｅｌｌとＳＣｅｌｌ＃０からなるグループ＃１と、ＳＣｅｌｌ＃１とＳＣｅｌｌ＃２からなるグループ＃２に分けられている場合を示している。この場合、ＰＣｅｌｌもしくはＳＣｅｌｌ＃０で発生する上り制御情報はグループ＃１の上りリンク用セルで送信し、ＳＣｅｌｌ＃１とＳＣｅｌｌ＃２で発生する上り制御情報はグループ＃２の上りリンク用セルで送信する。このようなグループ分けの情報は、ユーザ装置ＵＥでは、無線設定管理部１３に格納され、無線基地局ｅＮＢでは無線設定管理部２３に格納されており、ユーザ装置ＵＥと無線基地局ｅＮＢはそれぞれこれらのグループ分けに従ったＣＡ制御を行うことができる。
【００７３】
さて、図１１に示す例では、各グループにおいて、前述したＰＵＳＣＨ制御例１と同様の制御が独立に行われるものとしている。図１１（ａ）のグループ＃１では、上り制御情報を最優先のＰＣｅｌｌのＰＵＳＣＨで送信することを示し、図１１（ｂ）のグループ＃２では、上り制御情報をＩｎｄｅｘの小さいＳｃｅｌｌ＃１のＰＵＳＣＨで送信することとしている。もちろん、各グループで、ＰＵＳＣＨ制御例２、ＰＵＳＣＨ制御例３、ＰＵＳＣＨ制御例４のいずれかの制御を行ってもよいし、各グループ間で制御方法が異なってもよい。
【００７４】
上記のグループは、例えば、マルチプルタイミングアドバンス（ＭＴＡ）におけるタイミングアドバンスグループ（ＴＡＧ）に関連付けられていても良い。以下、ＭＴＡ及びＴＡＧの概要を説明する。
【００７５】
上りリンク用セルにおいてＰＣｅｌｌ及びＳＣｅｌｌの周波数やカバレッジが異なる場合、ＤＬ受信タイミングやＵＬ送信タイミングがセル毎に異なるため、別々に上り同期（ＵＬ同期）をとる必要がある。ＬＴＥ−Ａｄｖａｎｃｅｄ方式において、無線基地局ｅＮＢ及びユーザ装置ＵＥ間の上り同期を確立する事を目的に、無線基地局ｅＮＢがユーザ装置ＵＥに対し、ユーザ装置の上り信号の送信タイミングを調整するためのタイミングアドバンス（ＴＡ）値を送信することが規定されている。
【００７６】
無線基地局ｅＮＢはＴＡ値を個々のユーザ装置ＵＥに通知することで、個々のユーザ装置ＵＥからの上り信号を同時に受信できるようになる。電波の伝搬遅延特性や減衰特性等はセル毎に異なるのが一般的であるので、複数のＣＣを用いてＵＬ送信を行うＵＬ  ＣＡを構成する場合には理想的にはセル毎に、すなわちコンポーネントキャリア（ＣＣ）毎にＴＡ値を測定してユーザ装置ＵＥに通知することが考えられる。しかしながら、そのようなことはシグナリングの削減やユーザ装置ＵＥ及び無線基地局ｅＮＢにおける処理負担の軽減等の観点からは好ましくない。そこで、ユーザ装置ＵＥにとって無線特性が同等であるコンポーネントキャリア（ＣＣ）の群をタイミングアドバンスグループ（ＴＡＧ）として定義し、ＴＡ値による送信タイミングの制御はＴＡＧ毎に行うことが検討されている。これはマルチプルタイミングアドバンス（Ｍｕｌｔｉｐｌｅ  Ｔｉｍｉｎｇ  Ａｄｖａｎｃｅｓ：ＭＴＡ）と言及される。なお、ＴＡＧは１つ以上のＣＣを含む。ＴＡ値だけでなく、タイムアライメントタイマ（同期タイマ、ＴＡ  ｔｉｍｅｒ）や下りリンクの基準タイミングもＴＡＧ内のＣＣで共通に使用される。ＴＡＴは、それが満了するとユーザ装置ＵＥがＵＬ非同期と見なしてリソースを解放することになるタイマである。この場合におけるリソースはＰＵＣＣＨを送信するための時間及び周波数や、サウンディングリファレンス信号（ＳＲＳ）を送信するための時間及び周波数を含む。
【００７７】
図１２は２つのＴＡＧが形成されている様子を模式的に示す図である。図示の例の場合、ＰＣｅｌｌと３つのＳＣｅｌｌが設定されている。更に、本例ではバンド毎にＴＡＧが形成されている。図示の例の場合、バンドＡに属するＰＣｅｌｌ及びＳＣｅｌｌ＃１がＴＡＧ＃Ａに含まれ、バンドＢに属するＳＣｅｌｌ＃２及びＳＣｅｌｌ＃３がＴＡＧ＃Ｂに含まれる。
【００７８】
本変形例では、このようにしてグループ分けされたＴＡＧのグループ毎に、上り制御情報のピギーバック制御の方法が決められ、グループ毎のそれぞれの方法でピギーバック制御を行う。
【００７９】
本例における無線基地局ｅＮＢの構成例を図１３に示す。図１３に示すように、グループ決定部２５が備えられている点が図１０と異なる。本例では、グループ決定部２５がセルの測定等を行うことで、グループであるＴＡＧを決定する。無線基地局ｅＮＢにおいて、各ユーザ装置ＵＥ毎に、グループ決定部２５により決定されたグループの情報（どのセルがどのグループに属するかを示す情報）が無線設定管理部２３に保持されるとともに、該当のグループ情報が各ユーザ装置ＵＥに通知され、ユーザ装置ＵＥではグループの情報を無線設定管理部１３が保持する。また、例えば、ＰＵＳＣＨ制御例２によりシグナリングで制御内容の設定がされる場合に、グループ毎に無線基地局ｅＮＢからユーザ装置ＵＥにＰＵＳＣＨ制御例２によるシグナリングがなされ、無線基地局ｅＮＢとユーザ装置ＵＥは、グループ毎にシグナリングで通知した／通知された情報に従って制御を行う。
【００８０】
また、グループがＴＡＧか、それ以外のグループであるかにかかわらず、グループが予め定めたられている場合には、ＰＵＳＣＨ制御例２によるシグナリングで制御内容の設定を行うことの他、ＰＵＳＣＨ制御例１のように、固定的に設定しておいてもよい。いずれの場合でも、グループの識別情報と、グループに対応した制御方法を示す情報（例：優先度の高い順に、ＰＣｅｌｌ、ＰＵＣＣＨの設定されたＳＣｅｌｌ、Ｉｎｄｅｘが最大／最小のＳＣｅｌｌ、等）が、グループ毎に無線設定管理部１３に保持され、ＵＬ制御部１４は、当該情報を参照することで、グループ毎の制御を行うことが可能となる。
【００８１】
＜ＳＣｅｌｌの状態についての条件について＞
上記の各例及び変形例を含む本発明の実施の形態において、ＳＣｅｌｌのＰＵＳＣＨに上り制御情報をピギーバックする際、当該ＳＣｅｌｌは以下の条件を満たしていることが必要である。
【００８２】
第１の条件は、当該ＳＣｅｌｌがアクティブ（Ａｃｔｉｖｅ）であることである。ＳＣｅｌｌがアクティブであるかどうかの情報はユーザ装置ＵＥでは無線設定管理部１３が保持し、ＵＬ制御部１４は、無線設定管理部１３を参照することにより、各ＳＣｅｌｌがアクティブかどうかを把握できる。
【００８３】
第２の条件は、当該ＳＣｅｌｌ（或いは当該ＳＣｅｌｌが属しているグループ）に対してＵＬ同期が取れていることである。ユーザ装置ＵＥは、ＳＣｅｌｌのＵＬ同期が取れているか否かを、当該ＳＣｅｌｌの同期タイマ（ＴＡ  ｔｉｍｅｒ）が起動しているか否かによって判定する。つまり、ＴＡ  ｔｉｍｅｒが満了せずに起動していれば、同期が取れていると判定する。同期タイマ（ＴＡ  ｔｉｍｅｒ）は、例えば、無線設定管理部１３が有し、ＵＬ制御部１４は、無線設定管理部１３を参照することにより、同期が取れているかどうかを判定できる。
【００８４】
本実施の形態では、ＵＬ制御部１４は、上記条件を満たすＳＣｅｌｌ及びＰＣｅｌｌの中から、これまでに説明した方法で上り制御情報をＰＵＳＣＨで送信するセルを決定する。
【００８５】
＜実施の形態のまとめ＞
本実施の形態によれば、複数のセルを用いてキャリアアグリゲーションが行われる移動通信システムにおけるユーザ装置ＵＥであって、前記ユーザ装置ＵＥにおける上り制御情報の送信タイミングにおいて、当該ユーザ装置に物理上りリンク共有チャネルが設定されているか否かを判定し、物理上りリンク共有チャネルが設定されている場合に、当該物理上りリンク共有チャネルを用いて前記上り制御情報を送信すると決定するＵＬ制御部１４と、前記制御部により決定された物理上りリンク共有チャネルを用いて前記上り制御情報を前記移動通信システムにおける無線基地局に送信するＵＬ信号送信部１２とを備えるユーザ装置ＵＥが提供される。
【００８６】
前記ＵＬ信号送信部１２は、前記複数のセルのうちの第１のセルにおいて物理上りリンク共有チャネルが設定されている場合に、当該物理上りリンク共有チャネルを用いて前記上り制御情報を送信すると決定し、前記第１のセルにおいて物理上りリンク共有チャネルが設定されていない場合に、第２のセルにおける物理上りリンク共有チャネルを用いて前記上り制御情報を送信すると決定する。
【００８７】
前記第１のセルは、例えば、キャリアアグリゲーションにおけるプライマリセルであり、前記第２のセルは、物理上りリンク制御チャネルが設定されたセカンダリセルである。また、他の例においては、前記第１のセルは、物理上りリンク制御チャネルが設定されたキャリアアグリゲーションにおけるセカンダリセルであり、前記第２のセルは、セカンダリセル又はプライマリセルである。
【００８８】
また、物理上りリンク共有チャネルが複数のセカンダリセルで設定されている場合において、前記ＵＬ制御部１４は、複数のセカンダリセルの物理上りリンク共有チャネルのうち、インデックスが最大もしくは最小のセカンダリセルの物理上りリンク共有チャネルを用いて前記上り制御情報を送信すると決定するように構成される。なお、物理上りリンク共有チャネルを用いて前記上り制御情報を送信するセルがキャリアアグリゲーションにおけるセカンダリセルの場合、当該セカンダリセルは、アクティブであり、上り同期が取れていることが条件である。
【００８９】
また、一実施形態において、前記ユーザ装置ＵＥは、前記無線基地局ｅＮＢから、上り制御情報を送信するために用いる物理上りリンク共有チャネルを決定するための制御内容を示す情報を受信し、無線設定管理部１３に保持し、前記ＵＬ制御部１４は、前記無線基地局ｅＮＢから受信した前記情報に従って、上り制御情報を送信するために用いる物理上りリンク共有チャネルを決定する。
【００９０】
また、一実施形態において、前記ＵＬ制御部１４は、前記上り制御情報の種別を判定し、判定された種別に対応した方法で、当該上り制御情報を送信するために用いる物理上りリンク共有チャネルを決定する。また、一実施形態において、前記ＵＬ制御部１４は、前記上り制御情報が生じたセルを判定し、判定されたセルに対応した方法で、当該上り制御情報を送信するために用いる物理上りリンク共有チャネルを決定する。
【００９１】
更に、一実施形態において、前記移動通信システムにおいてアグリゲートされる前記複数のセルが、複数のグループにグループ分けされている場合において、前記ＵＬ制御部１４は、個々のグループ毎に定められた方法で、グループ内で生じる上り制御情報を送信するために用いる物理上りリンク共有チャネルを決定する。
【００９２】
また、本発明の一実施形態によれば、複数のセルを用いてキャリアアグリゲーションが行われる移動通信システムにおけるユーザ装置ＵＥにより行われる上り制御情報送信方法であって、前記ユーザ装置ＵＥにおける上り制御情報の送信タイミングにおいて、当該ユーザ装置ＵＥに物理上りリンク共有チャネルが設定されているか否かを判定し、物理上りリンク共有チャネルが設定されている場合に、当該物理上りリンク共有チャネルを用いて前記上り制御情報を送信すると決定する制御ステップと、前記制御ステップにより決定された物理上りリンク共有チャネルを用いて前記上り制御情報を前記移動通信システムにおける無線基地局に送信する送信ステップとを備える上り制御情報送信方法が提供される。
【００９３】
前記上り制御情報送信方法では、前記制御ステップにおいて、前記複数のセルのうちの第１のセルにおいて物理上りリンク共有チャネルが設定されている場合に、当該物理上りリンク共有チャネルを用いて前記上り制御情報を送信すると決定し、前記第１のセルにおいて物理上りリンク共有チャネルが設定されていない場合に、第２のセルにおける物理上りリンク共有チャネルを用いて前記上り制御情報を送信すると決定する。
【００９４】
以上、ピギーバックのためのＰＵＳＣＨを決定する制御に関する実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び無線基地局ｅＮＢは機能的なブロック図を用いて説明されたが、そのような装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００９５】
ＵＥ  ユーザ装置
ｅＮＢ  無線基地局
１１  ＤＬ信号受信部
１２  ＵＬ信号送信部
１３  無線設定管理部
１４  ＵＬ制御部
２１  ＵＬ信号受信部
２２  ＤＬ信号送信部
２３  無線設定管理部
２４  ＵＥ制御情報通知部
２５  グループ決定部
【図１】
2014110476.tif 000003
【図２】
2014110476.tif 000004
【図３】
2014110476.tif 000005
【図４】
2014110476.tif 000006
【図５】
2014110476.tif 000007
【図６】
2014110476.tif 000008
【図７】
2014110476.tif 000009
【図８】
2014110476.tif 000010
【図９】
2014110476.tif 000011
【図１０】
2014110476.tif 000012
【図１１】
2014110476.tif 000013
【図１２】
2014110476.tif 000014
【図１３】
2014110476.tif 000015